【事件の表示】
　特許第２７８６０８３号「玄関たたき部の配設構造」の特許に対する特許異議の申立てについて、次のとおり決定する。
【結論】
　訂正を認める。
　特許第２７８６０８３号の特許を維持する。
【理由】
Ｉ．手続きの経緯
　本件特許第２７８６０８３号に係る発明は、平成５年８月１０日に出願され、平成１０年５月２９日にその特許の設定登録がされ、その後、平成１１年２月１２日に岡田芳子より、特許異議の申立てがなされ、平成１１年７月２７日（起案日）に取消理由通知がなされ、その指定期間内である平成１１年１０月１２日に特許異議意見書を提出と共に訂正請求がなされたものである。
ＩＩ．訂正請求について
１．請求の趣旨及び訂正事項
　訂正請求の趣旨は、特許第２７８６０８３号発明の明細書を請求書に添付した明細書の通り訂正することを求めるものであり、そして、その訂正事項は、以下（１）〜（３）のとおりのものである。
（１）訂正事項ａ
　特許明細書の【特許請求の範囲】を以下のように訂正する。
「【請求項１】玄関ユニットに形成された玄関用開口部の建物内側に位置する玄関ユニット床梁上に、四周に立周壁部を備えた繊維強化プラスチック製の防水パンを設置し、この防水パンの前記立周壁部の外周まわりに木製の框を配設し、この框の周縁部と前記防水パンの立周壁部の内周壁面との間に防水部材を配設するとともに前記玄関用開口部に配設される沓摺と前記防水パンの立周壁部の内周壁面との間に前記防水部材を配設したことを特徴とする玄関たたき部の配設構造。」
（２）訂正事項ｂ
▲１▼特許明細書の段落【０００７】（特許公報の第２頁第３欄第１９行）に「立周壁部」とあるを、「、四周に立周壁部」に訂正する。
▲２▼特許明細書の段落【０００７】（特許公報の第２頁第３欄第２２行及び第２４行）、段落【０００８】（特許公報の第２頁第３欄第３２行及び第３４行）に「立周壁部との間」とあるを、「立周壁部の内周壁との間」に訂正する。
▲３▼特許明細書の段落【０００８】（特許公報の第２頁第３欄第３０行）に、「立周壁部」とあるのを、「四周に立周壁部」に訂正する。
▲４▼特許明細書の段落【００１６】（特許公報の第２頁第４欄第１８行）に、「立周壁部２２を備え」とあるのを、「立周壁部２２を四周に備え」に訂正する。
▲５▼特許明細書の段落【００２０】（特許公報の第２頁第４欄第３２〜３３行）、段落【００２１】（特許公報の第２頁第４欄第３６行）及び段落【００２３】（特許公報の第２頁第４欄第４７行と第４９〜５０行）に、「立周壁部２２との間」とあるのを、「立周壁部２２の内周壁面との間」に訂正する。
（３）訂正事項ｃ
▲１▼特許明細書の段落【０００８】（特許公報の第２頁第３欄第３６行〜第３９行）に、「十分保証されたものとなる。……良好なものとすることができる。」とあるのを、「十分保証されたものとなるとともに、防水部材が隠蔽されて外観のよいものになる。しかも、その框は木製とされているので、玄関たたき部に要求される意匠的な外観性を木の質感とあいまって更に良好なものとすることができる。」に訂正する。
▲２▼特許明細書の段落【００２３】（特許公報の第３頁第５欄第１〜４行）に、「十分保証されたものとなっている。……良好なものとすることができる。」とあるのを、「十分保証されたものとなっているとともに、防水部材が隠蔽されて外観のよいものになっている。しかも、框３１は木製とされているので、玄関たたき部に要求される意匠的な外観性を木の質感とあいまって更に良好なものとすることができる。」に訂正する。
２．訂正の要件の適否
２−１．訂正の目的の適否、新規事項の有無及び拡張・変更の存否
　（１）訂正事項ａは、特許明細書の特許請求の範囲の請求項１に記載された「立周壁部」を「四周に立周壁部」に、「防水パンの立周壁部」を「防水パンの立周壁部の内周壁面」にそれぞれ限定して訂正するものであるから、特許請求の範囲の減縮を目的とするものと認められる。そして、訂正事項ａの「四周に立周壁部」を備えた防水パンは、願書に添付した明細書の段落【００１６】に「防水パン２１は……浴槽のような立周壁部２２をそなえている。」及び図１の「立周壁部２２」からみて、記載されていると認められ、さらに、框３１の周縁部３３と「防水パン２１の立周壁部２２の内周壁面」との間及び沓摺と「防水パン２１の立周壁部２２の内周壁面」との間に防水部材３７を配設することは、図１の記載から明らかであり、訂正事項ａは、全体として、願書に添付した明細書又は図面に記載した事項の範囲内の訂正であるということができ、また、実質上特許請求の範囲を拡張し又は変更するものでもない。
　（２）訂正事項ｂについては、それぞれ、特許請求の範囲の請求項１の訂正に伴い、特許請求の範囲の記載と発明の詳細な説明の記載との整合を図るため、その必要な箇所の「立周壁部」とあるを「四周に立周壁部」に、「立周壁部との間」とあるを「立周壁部の内周壁面との間」に等訂正するもので、明りようでない記載の釈明を目的とし、また、上記（１）訂正事項ａについて述べたように、願書に添付した明細書又は図面に記載した事項の範囲内の訂正であるということができ、特許請求の範囲を拡張し又は変更するものでもない。
　（３）訂正事項ｃについては、訂正事項ａの特許請求の範囲の減縮に伴い、効果の記載を構成事項と対応させたもので、明りようでない記載の釈明を目的とし、願書に添付した明細書の段落【０００８】及び【００２６】の作用及び発明の効果の記載より、直接的かつ一義的に導き出せる事項であるから、願書に添付した明細書又は図面に記載した事項の範囲内の訂正であるということができ、また、特許請求の範囲を拡張し又は変更するものでもない。
２−２．独立特許要件についての判断
　上記訂正事項ａにおいて、訂正後における特許請求の範囲の請求項１に記載されている事項により構成される発明は、後述する「ＩＩＩ．特許異議申立てについて」の「４．対比・判断」でしたように、取消理由及び特許異議申立ての理由では、特許を受けることができないとすることができず、また、他に特許を受けることができないとする理由も発見できないから、特許出願の際独立して特許を受けることができるものである。
３．むすび
　以上のとおりであるから、上記訂正請求は、平成６年法律第１１６号附則第６条第１項の規定によりなお従前の例によって適用される特許法第１２０条の４第２項及び同条第３項で準用する第１２６条第２項乃至第４項の規定に適合し、当該訂正は認められる。
ＩＩＩ．特許異議申立てについて
１．本件請求項１に係る発明
　本件訂正明細書の請求項１に係る発明（以下、「本件請求項１に係る発明」という。）は、本件訂正請求書に添付された訂正明細書の特許請求の範囲の請求項１に記載された次のとおりのものである。
「【請求項１】玄関ユニットに形成された玄関用開口部の建物内側に位置する玄関ユニット床梁上に、四周に立周壁部を備えた繊維強化プラスチック製の防水パンを設置し、この防水パンの前記立周壁部の外周まわりに木製の框を配設し、この框の周縁部と前記防水パンの立周壁部の内周壁面との間に防水部材を配設するとともに前記玄関用開口部に配設される沓摺と前記防水パンの立周壁部の内周壁面との間に前記防水部材を配設したことを特徴とする玄関たたき部の配設構造。」
２．特許異議申立ての理由及び取消理由の概要
２−１．特許異議申立ての理由の概要
　特許異議申立人は、甲第１号証（特開昭５５−１１１５５６号公報）、甲第２号証（特開平６−１５８８２４号公報）、甲第３号証［実願昭５７−１６３８２０号（実開昭５９−６７４３７号）のマイクロフィルム］、甲第４号証［実願平２−４３４４２号（実開平４−２８２９号）のマイクロフィルム］及び甲第５号証（実開昭５４−２３９号公報）を提出し、本件請求項１に係る発明は、甲第１〜５号証記載の発明に基づいて当業者が容易に発明をすることができたものであるから、特許法第２９条第２項の規定により特許を受けることができないものであり、本件請求項１に係る発明の特許は取り消されるべきものである旨主張している（なお、甲第２号証は、本件の出願（平成５年８月１０日）後の平成６年６月７日に公開されたものであるから、特許法第２９条第２項の規定する発明を構成する証拠として、採用できない。）。
２−２．取消理由の概要
　取消理由は、上記特許異議申立人が提出した甲第１号証を刊行物１、同甲第３号証を刊行物２として、夫々引用し、本件請求項１に係る発明は、刊行物１、２記載の発明に基づいて当業者が容易に発明をすることができたものであるから、本件請求項１に係る発明の特許は、特許法第２９条第２項の規定に違反してなされたものである、とした。
３．甲各号証及び刊行物１、２に記載の事項
　甲第１号証（刊行物１）には、
　その第１頁左欄第１３行〜右欄第２行、第１頁右欄第９〜１９行、第１頁右欄最終行〜第２頁右上欄第６行及び第３、４図の記載よりみて、
「玄関用開口部の建物内側に位置する根太１３上に三辺に立上り片８を備えたＦＲＰ製の玄関用床パンＡを設置し、この玄関用床パンＡの前記立上り片８を覆うように玄関框２２を配設し、玄関用開口部に配設される敷居６の戸当り部１４と玄関用床パンＡとの間にコーキング材７を配設し、隙間を塞ぎ防水した玄関用防水床パン装置。」という発明が記載され、
　甲第３号証（刊行物２）には、
　その明細書第１頁実用新案登録請求の範囲、同第３頁第６〜７行、同第３頁第１４行〜第４頁第１行及び第２、３図の記載よりみて、
「玄関等の土間用防水パン１であって、防水パン１を設置した時に、床材１５及び敷居１９との隙間を封するため、対置する防水パン１三方の周り縁５下面と周り縁５を有しない一方の床体７の外面にパテ材８を設け、防水すること。」という発明が記載され、
　甲第４号証には、
　その明細書第１頁実用新案登録請求の範囲、同第６頁第２〜７行及び第２、３図の記載よりみて、「玄関回りの構造において、防水床パン１２の側壁部１２ｂ部分に上がり框１３を設けること」という発明が記載され、
　甲第５号証には、
　第２、３図の記載からみて、
「防水パン１の端部に防水部材であるコーキング材８を施すこと。」という発明が記載されていると認められる。
４．対比・判断
４−１．取消理由について
　本件請求項１に係る発明と刊行物１記載の発明とを比較すると、
　刊行物１記載の発明の「根太」、「立上り片」、「ＦＲＰ」、「玄関用床パン」、「覆うように」、「玄関框」、「コーキング材」及び「玄関用防水床パン装置」は、本件請求項１に係る発明の「玄関ユニット床梁」、「立周壁部」、「繊維強化プラスチック」、「防水パン」、「外周まわりに」、「框」、「防水部材」及び「玄関たたき部の配設構造」に相当し、また、刊行物１記載の発明の「敷居の戸当り部」は、本件請求項１に係る発明の「沓摺」に対応しているから、
　本件請求項１に係る発明と刊行物１記載の発明とは、以下の点で相違しているが、その余の点では実質上一致していると認められる。
　相違点
（１）本件請求項１に係る発明は、框の周縁部と防水パンの立周壁部の内周壁面との間に防水部材を配設するとともに玄関用開口部に配設される沓摺と防水パンの立周壁部の内周壁面との間に防水部材を配設しているのに対して、刊行物１記載の発明は、そのようになっていない点。
（２）防水パンは、本件請求項１に係る発明では、四周に立周壁を備えたものであるのに対して、刊行物１記載の発明では、三辺に立周壁を設けている点。及び
（３）本件請求項１に係る発明の框は、木製であるのに対して、刊行物１記載の発明の框には、材料の限定がない点。
　そこで、相違点（１）について検討すると、
　刊行物２（甲第３号証）には、防水のため、防水パンを設置した時、パテ材からなる防水部材を、玄関用開口部の敷居との間に施し、床材と対置する周り縁の下面にも施し、防水パンの全周を防水することが記載されているが、この刊行物２記載の発明によれば、防水部材は、防水パンの床体７の立壁の外面及び周り縁の下面に施したもので、本件請求項１に係る発明のように、防水部材を防水パンの立周壁部の内周壁面に配設したものではなく、また、刊行物１記載の発明の玄関用防水床パン装置は、立上り片８（立周壁部）は三辺に設けられ、残り一辺と敷居６の戸当り部１４との間に防水部材を充填したもので、過剰な水は、残り一辺から玄関の外に流れる構造のものと認められ、防水パンの立周壁部と該立周壁部を覆う框との間に防水部材を配設し、防水を行う必然性が認められないから、刊行物１記載の発明に刊行物２記載の発明を適用すること又は適用して、相違点（１）における本件請求項１に係る発明の事項が、容易に想到できるものということができない。
　加うるに、本件請求項１に係る発明は、相違点（１）における事項を構成要件とすることにより、「防水性は十分保証されたものとなっているとともに、防水部材が隠蔽されて外観のよいものになる。」（段落【０００８】【作用】、【００２６】【発明の効果】参照）という刊行物１、２記載の発明からは期待できない作用、効果を奏するものと認められる。
　したがって、相違点（２）、（３）について検討する迄もなく、相違点（１）により、本件請求項１に係る発明は、刊行物１、２記載の発明より、当業者が容易に発明できたものとすることができず、上記取消理由は、理由がないものとなったというべきである。
４−２．特許異議申立ての理由について
　本件請求項１に係る発明の構成要件となっている「框の周縁部と防水パンの立周壁部の内周壁面との間に防水部材を配設するとともに玄関用開口部に配設される沓摺と防水パンの立周壁部の内周壁面との間に防水部材を配設している」点は、取消理由で引用した証拠以外の甲第４、５号証にも、記載がなく、また、甲第４、５号証記載から容易に想到できるとすることもできない。
　そして、その他の甲第１、３号証は、刊行物１、２として取消理由で引用したもので、その判断は、上記「４−１．取消理由について」でしたとおりである。
　したがって、本件請求項１に係る発明は、甲第１、３〜５号証記載の発明に基づいて当業者が容易に発明できたものとすることはできず、特許異議申立ては、理由がないものであるというべきである。
５．むすび
　以上のとおりであるから、取消理由及び特許異議申立ての理由並びに証拠方法によっては、本件請求項１に係る発明の特許を取り消すことはできない。
　また、他に本件請求項１に係る発明の特許を取り消すべき理由を発見しない。
　よって、結論のとおり決定する。
【異議決定日】
平成１１年１１月８日（１９９９．１１．８）
【訂正の要旨】
　訂正の要旨は、以下のとおりである。
（１）特許請求の範囲の減縮を目的として、特許請求の範囲を、下記の通り訂正する。
「【請求項１】玄関ユニットに形成された玄関用開口部の建物内側に位置する玄関ユニット床梁上に、四周に立周壁部を備えた繊維強化プラスチック製の防水パンを設置し、この防水パンの前記立周壁部の外周まわりに木製の框を配設し、この框の周縁部と前記防水パンの立周壁部の内周壁面との間に防水部材を配設するとともに前記玄関用開口部に配設される沓摺と前記防水パンの立周壁部の内周壁面との間に前記防水部材を配設したことを特徴とする玄関たたき部の配設構造。」
（２）特許請求の範囲の記載を訂正したことにより、特許請求の範囲の記載と発明の詳細な説明の記載との整合を図るため、明りようでない記載の釈明を目的として、
▲１▼特許明細書の段落【０００７】（特許公報の第２頁第３欄第１９行）に「立周壁部」とあるを、「、四周に立周壁部」に訂正する。
▲２▼特許明細書の段落【０００７】（特許公報の第２頁第３欄第２２行及び第２４行）、段落【０００８】（特許公報の第２頁第３欄第３２行及び第３４行）に「立周壁部との間」とあるを、「立周壁部の内周壁との間」に訂正する。
▲３▼特許明細書の段落【０００８】（特許公報の第２頁第３欄第３０行）に、「立周壁部」とあるのを、「四周に立周壁部」に訂正する。
▲４▼特許明細書の段落【００１６】（特許公報の第２頁第４欄第１８行）に、「立周壁部２２を備え」とあるのを、「立周壁部２２を四周に備え」に訂正する。
▲５▼特許明細書の段落【００２０】（特許公報の第２頁第４欄第３２〜３３行）、段落【００２１】（特許公報の第２頁第４欄第３６行）及び段落【００２３】（特許公報の第２頁第４欄第４７行と第４９〜５０行）に、「立周壁部２２との間」とあるのを、「立周壁部２２の内周壁面との間」に訂正する。
（３）特許請求の範囲の記載を訂正したことにより、明りようでない記載の釈明を目的として、
▲１▼特許明細書の段落【０００８】（特許公報の第２頁第３欄第３６行〜第３９行）に、「十分保証されたものとなる。……良好なものとすることができる。」とあるのを、「十分保証されたものとなるとともに、防水部材が隠蔽されて外観のよいものになる。しかも、その框は木製とされているので、玄関たたき部に要求される意匠的な外観性を木の質感とあいまって更に良好なものとすることができる。」に訂正する。
▲２▼特許明細書の段落【００２３】（特許公報の第３頁第５欄第１〜４行）に、「十分保証されたものとなっている。……良好なものとすることができる。」とあるのを、「十分保証されたものとなっているとともに、防水部材が隠蔽されて外観のよいものになっている。しかも、框３１は木製とされているので、玄関たたき部に要求される意匠的な外観性を木の質感とあいまって更に良好なものとすることができる。」に訂正する。
（５４）【発明の名称】
玄関たたき部の配設構造
（５７）【特許請求の範囲】
　【請求項１】玄関ユニットに形成された玄関用開口部の建物内側に位置する玄関ユニット床梁上に
、四周に立周壁部
立周壁部の内周壁面
立周壁部の内周壁面
【発明の詳細な説明】
　【０００１】
　【産業上の利用分野】
　この発明は、玄関たたき部の配設構造に関するものである。
　【０００２】
　【従来の技術】
　一般に、住宅などの玄関たたき部は、外部に直接通じる部分であるため、雨水などが入りやすい。このため、とくに２階以上の上階に玄関を設ける場合には、下階への雨漏りなどを防止する必要性があり、その玄関たたき部には十分な防水性が要求される。また、訪問者などはまず玄関に入ったところでその建物の内部の第一印象を受けることが多い。このため、玄関たたき部には意匠的な外観性も要求される。
　【０００３】
　従来より、このような制約のある玄関たたき部の配設構造として、施工現場にていわゆる湿式モルタル造りによってたたき部の基礎を造り、そのたたき部にタイルを貼り付けるというものが多かった。また、例えば、実公昭６１−３３１６４号公報に示されるように、防水パンに框を一体に設けたものも知られている。
　【０００４】
　【発明が解決しようとする課題】
　ところで、ユニット住宅などのユニット建物は、建物ユニットや各種の部材の多くを工業化生産することによって、工期の短縮化、人件費などの経費の削減、品質の安定化などを図っているものである。
　【０００５】
　しかし、このようなユニット建物にあって、上記のような玄関たたき部の配設構造を採用することは、工期の長期化、人件費などの経費の増大、品質の不安定化を招きやすいという不具合がある。
　【０００６】
　この発明は、このような実情を背景としてなされたもので、ユニット建物における工期の短縮化、人件費などの経費の削減、品質の安定化などを妨げることの少ない玄関たたき部の配設構造を提供することを目的としている。
　【０００７】
　【課題を解決するための手段】
　この発明に係る玄関たたき部の配設構造は、上記の目的を達成するため、玄関ユニットに形成された玄関用開口部の建物内側に位置する玄関ユニット床梁上に
、四周に立周壁部
立周壁部の内周壁面との間
立周壁部の内周壁面との間
　【０００８】
　【作用】
　この発明に係る玄関たたき部の配設構造によれば、玄関ユニットに形成された玄関用開口部の建物内側に位置する玄関ユニット床梁上に設置される防水パンは、
四周に立周壁部
立周壁部の内周壁面との間
立周壁部の内周壁面との間
十分保証されたものとなるとともに、防水部材が隠蔽されて外観のよいものになる。しかも、その框は木製とされているので、玄関たたき部に要求される意匠的な外観性を木の質感とあいまって更に良好なものとすることができる。
　【０００９】
　そして、防水パンと框とは別体なものとなっており、いずれも工業化生産できるものなので、ユニット建物における工期の短縮化、人件費などの経費の削減、品質の安定化などを妨げることが少ない。
　【００１０】
　【実施例】
　以下、この発明に係る玄関たたき部の配設構造の実施例を図面に基づいて説明する。
　【００１１】
　まず、その構成を説明する。図１において、１は２階玄関ユニットの構造体で、構造体１は床梁２、３とこれらの床梁２、３間に配設される玄関ユニット床梁としての小梁４、５とを備えている。これらの梁材にはいずれも型鋼が採用されている。
　【００１２】
　構造体１の建物外側には、踊り場６が設けられている。この踊り場６と床梁２との間には、玄関ドア沓摺７が配設されている。
　【００１３】
　床梁３の上部には、床根太８が配設され、この床根太８の上部には、床材９が敷設されている。この床材９は、床板としてのパーチクルボード１０と床化粧材１１とから構成されている。
　【００１４】
　符号２１は、防水パンで、この防水パン２１は２階玄関ユニットの構造体１に形成された玄関用開口部、つまり玄関ドア沓摺７の上側よりも建物内側に位置する床梁としての小梁４、５上に設置されている。
　【００１５】
　防水パン２１と小梁４、５との間には、２階玄関床パネル２３が敷設されている。この２階玄関床パネル２３は、普通合板２４の上にパーチクルボード２５を積層した構成となっている。
　【００１６】
　防水パン２１は、繊維強化プラスチックを素材とした成形品で、浴槽のような
立周壁部２２を四周に備え
　【００１７】
　３１は、防水パン２１の立周壁部２２の外周まわりに配設された木製の框である。この框３１は、床化粧材１１と面一となる框面部３２と防水パン２１の立周壁部２２に対向する周縁部３３とを備えている。
　【００１８】
　框面部３２は、防水パン２１の取付片３０を支持固定する床根太３４、下地合板３５に鉄丸釘３６によって固定されている。
　【００１９】
　この框３１は、防水パン３１の外周のうち、玄関ドア沓摺７が位置する以外の３辺部にわたって連続して配設されている。
　【００２０】
　框３１の周縁部３３と防水パンの
立周壁部２２の内周壁面との間
　【００２１】
　また、玄関ドア沓摺７に設けられている下枠３８と防水パン２１の
立周壁部２２の内周壁面との間
　【００２２】
　次に、このような構成からなる玄関たたき部の配設構造の作用を説明する。
　【００２３】
　玄関ユニットの構造体１に形成された玄関用開口部の建物内側に位置する床梁としての小梁４、５上に設置される防水パン２１は、立周壁部２２を備えた繊維強化プラスチック製のものとされ、この防水パン２１の立周壁部２２の外周まわりに配設される框３１の周縁部３３と防水パン２１の
立周壁部２２の内周壁面との間
立周壁部２２の内周壁面との間
防水性は十分保証されたものとなっているとともに、防水部材が隠蔽されて外観のよいものになっている。しかも、框３１は木製とされているので、玄関たたき部に要求される意匠的な外観性を木の質感とあいまって更に良好なものとすることができる。
　【００２４】
　そして、防水パン２１と框３１とは別体なものとなっており、いずれも工業化生産できるものなので、ユニット建物における工期の短縮化、人件費などの経費の削減、品質の安定化などを妨げることが少ない。
　【００２５】
　なお、この実施例では、玄関ユニットとして２階玄関ユニットを例に挙げたが、１階玄関ユニットに適用できることはいうまでもない。
　【００２６】
　【発明の効果】
　以上説明したように、この発明に係る玄関たたき部の配設構造によれば、玄関たたき部に要求される防水性は十分保証されたものとなる。しかも、玄関たたき部に要求される意匠的な外観性も木の質感とあいまって良好なものとすることができる。さらに、防水パンと框とをそれぞれ工業化生産することにより、ユニット建物における工期の短縮化、人件費などの経費の削減、品質の安定化などを妨げることが少ないという優れた効果がある。
【図面の簡単な説明】
　【図１】
　この発明にかかる玄関たたき部の配設構造の実施例を示す部分断面図である。
　【符号の説明】
　１　構造体（２階玄関ユニット）
　４、５　小梁（玄関ユニット床梁）
　２１　防水パン
　　２２　立周壁部
　３１　木製の框
　３７　防水部材